(57)【要約】      （修正有）【課題】製造コストを低減でき、誤操作を防止できる接続箱を提供する。【解決手段】複数の太陽電池アレイをパワーコンディショナへ接続する接続箱１７０は、ＤＣ遮断器１０５と、複数の太陽電池アレイとＤＣ遮断器との接続をアレイ単位でそれぞれ切る複数のＤＣ断路器１０２と、ＤＣ遮断器及びの複数ＤＣ断路器を収容する接続箱本体１２０と、接続箱本体に固定されるように一端が軸着されＤＣ遮断器及びの複数ＤＣ断路器を覆うカバー１０６とを備え、ＤＣ遮断器は、ＯＦＦ側に倒れた状態で前記複数の太陽電池アレイからパワーコンディショナへの電流の遮断を一括で行い、ＯＮ側に倒れた状態で遮断を一括で解除するレバー１０５１を有し、カバーは、ＤＣ遮断器及び前記複数のＤＣ断路器を覆った状態で、レバーがＯＮ側に倒れている場合にレバーに干渉し、レバーがＯＦＦ側に倒れている場合にレバーに干渉しないように構成した穴１０６１を有す。【選択図】図４
2014011821.tif 000002
【特許請求の範囲】
【請求項１】
複数の太陽電池アレイをパワーコンディショナへ接続する接続箱であって、
ＤＣ遮断器と、
前記複数の太陽電池アレイと前記ＤＣ遮断器との電気的接続をアレイ単位でそれぞれ切る複数のＤＣ断路器と、
前記ＤＣ遮断器及び前記複数のＤＣ断路器を収容する接続箱本体と、
前記接続箱本体に固定されるように一端が軸着され、前記ＤＣ遮断器及び前記複数のＤＣ断路器を覆うカバーと、
を備え、
前記ＤＣ遮断器は、
ＯＦＦ側に倒れた状態で前記複数の太陽電池アレイから前記パワーコンディショナへの電流の遮断を一括で行い、ＯＮ側に倒れた状態で前記遮断を一括で解除するレバーを有し、
前記カバーは、
前記ＤＣ遮断器及び前記複数のＤＣ断路器を覆った状態で前記レバーがＯＮ側に倒れている場合に前記レバーに干渉し、前記ＤＣ遮断器及び前記複数のＤＣ断路器を覆った状態で前記レバーがＯＦＦ側に倒れている場合に前記レバーに干渉しないように構成された穴を有する
ことを特徴とする接続箱。
【請求項２】
前記カバーは、前記ＤＣ遮断器及び前記複数のＤＣ断路器を覆った状態で、前記複数のＤＣ断路器のそれぞれの操作部を覆っている
ことを特徴とする請求項１に記載の接続箱。
【請求項３】
前記カバーの裏面における前記穴の周辺部と前記ＤＣ遮断器の本体とを接続し、前記カバーが前記ＤＣ遮断器及び前記複数のＤＣ断路器を開放した状態で前記レバーを覆うジャバラ構造をさらに備えた
ことを特徴とする請求項１又は２に記載の接続箱。
【請求項４】
前記カバーは、一端が前記接続箱本体の開放端に軸着され、前記接続箱本体の蓋としても機能する
ことを特徴とする請求項１から３のいずれか１項に記載の接続箱。
【請求項５】
複数の太陽電池アレイと、
パワーコンディショナと、
前記複数の太陽電池アレイを前記パワーコンディショナへ接続する請求項１から４のいずれか１項に記載の接続箱と、
を備えたことを特徴とする太陽光発電システム。
【発明の詳細な説明】
【技術分野】
【０００１】
本発明は、接続箱及び太陽光発電システムに関する。
【背景技術】
【０００２】
従来から、複数の太陽電池アレイで発電された電力を集電してパワーコンディショナへ供給するために、複数の太陽電池アレイをパワーコンディショナへ接続する接続箱が用いられている。
【０００３】
特許文献１には、太陽光発電装置において、複数の太陽電池アレイとパワーコンディショナとの間の電気的接続をオンオフする接続箱の内部に複数のブレーカーを設け、複数のブレーカーが入力側で複数の太陽電池アレイに接続されパワーコンディショナ側で並列接続されるとともに、複数のブレーカーのパワーコンディショナ側に、外部からの作動信号を受信する作動信号受信部と、作動信号に従い接続箱の所在を示す位置情報を発信する位置情報発信部を設けることが記載されている。これにより、特許文献１によれば、信号発信のスイッチをＯＮにすることで、作動信号受信部で作動信号が受信され位置情報発信部から位置情報が発信され、接続箱の所在が明らかになるので、十分な前情報を得られないまま現場に赴いた調査者が接続箱を捜すだけで何時間も要するといった問題が解決されるとされている。
【先行技術文献】
【特許文献】
【０００４】
【特許文献１】特開２００３−２９８０７５号公報
【発明の概要】
【発明が解決しようとする課題】
【０００５】
特許文献１に記載の技術は、接続箱において、複数の太陽電池アレイに対応して複数のブレーカーを設けることが前提となっている。すなわち、特許文献１に記載の技術では、接続箱において、高価なブレーカー（ＤＣ遮断器）を太陽電池アレイの個数分用意しなければならないため、接続箱の製造コストが増大する傾向にある。
【０００６】
一方、本発明者は、接続箱の製造コストを低減するために、複数のＤＣ遮断器を複数のＤＣ断路器及び１つのＤＣ遮断器で置き換えることを考えた。この場合、ＤＣ遮断器が電流を開閉できるのに対して各ＤＣ断路器が電流を開閉できないので、操作に適正な順番が発生し、ＤＣ遮断器で電流を遮断（開操作）して無負荷状態にした後に各ＤＣ断路器で電路を開閉操作する必要がある。仮に、人為的な誤操作により、ＤＣ遮断器が閉操作されている通電中（すなわち、負荷電流が流れているとき）にＤＣ断路器で電路を切った場合、ＤＣ断路器内でアーク放電が発生しやすく、ＤＣ断路器を破損する可能性がある。
【０００７】
本発明は、上記に鑑みてなされたものであって、製造コストを低減でき、誤操作を防止できる接続箱及び太陽光発電システムを得ることを目的とする。
【課題を解決するための手段】
【０００８】
上述した課題を解決し、目的を達成するために、本発明の１つの側面にかかる接続箱は、複数の太陽電池アレイをパワーコンディショナへ接続する接続箱であって、ＤＣ遮断器と、前記複数の太陽電池アレイと前記ＤＣ遮断器との電気的接続をアレイ単位でそれぞれ切る複数のＤＣ断路器と、前記ＤＣ遮断器及び前記複数のＤＣ断路器を収容する接続箱本体と、前記接続箱本体に固定されるように一端が軸着され、前記ＤＣ遮断器及び前記複数のＤＣ断路器を覆うカバーとを備え、前記ＤＣ遮断器は、ＯＦＦ側に倒れた状態で前記複数の太陽電池アレイから前記パワーコンディショナへの電流の遮断を一括で行い、ＯＮ側に倒れた状態で前記遮断を一括で解除するレバーを有し、前記カバーは、前記ＤＣ遮断器及び前記複数のＤＣ断路器を覆った状態で前記レバーがＯＮ側に倒れている場合に前記レバーに干渉し、前記ＤＣ遮断器及び前記複数のＤＣ断路器を覆った状態で前記レバーがＯＦＦ側に倒れている場合に前記レバーに干渉しないように構成された穴を有することを特徴とする。
【発明の効果】
【０００９】
本発明によれば、ＤＣ遮断器の個数を太陽電池アレイの個数分設ける必要がなく１個に抑制できるので、接続箱の製造コストを低減できる。また、ＤＣ遮断器が通電状態（ＯＮ状態）の時にカバーを動かすことができない状態となるので、各ＤＣ断路器の操作部を操作不可能な状態にすることができ、誤操作を防止できる。すなわち、製造コストを低減でき、誤操作を防止できる。
【図面の簡単な説明】
【００１０】
【図１】図１は、実施の形態１における接続箱の構成を示す図である。
【図２】図２は、実施の形態１における接続箱の構成を示す図である。
【図３】図３は、実施の形態１における接続箱の構成を示す図である。
【図４】図４は、実施の形態１における接続箱の動作を示す図である。
【図５】図５は、実施の形態２における接続箱の構成及び動作を示す図である。
【図６】図６は、実施の形態２における接続箱の構成及び動作を示す図である。
【図７】図７は、実施の形態３における接続箱の構成及び動作を示す図である。
【図８】図８は、実施の形態４における接続箱の構成を示す図である。
【図９】図９は、実施の形態４における接続箱の動作を示す図である。
【図１０】図１０は、実施の形態５における接続箱の構成及び動作を示す図である。
【図１１】図１１は、実施の形態５における接続箱の構成及び動作を示す図である。
【図１２】図１２は、基本の形態にかかる太陽光発電システムの構成を示す図である。
【図１３】図１３は、基本の形態における接続箱の構成を示す図である。
【発明を実施するための形態】
【００１１】
以下に、本発明にかかる太陽光発電システムの実施の形態を図面に基づいて詳細に説明する。なお、この実施の形態によりこの発明が限定されるものではない。
【００１２】
実施の形態１．
実施の形態１にかかる太陽光発電システムＳ１００について説明する前に、まず、基本の形態にかかる太陽光発電システムＳについて図１２を用いて説明する。図１２は、基本の形態にかかる太陽光発電システムＳの構成を示す図である。
【００１３】
太陽光発電システムＳは、複数の太陽電池アレイ１０Ａ〜１０Ｃ、接続箱７０、及びパワーコンディショナ８０を備える。
【００１４】
複数の太陽電池アレイ１０Ａ〜１０Ｃは、それぞれ、太陽光を受けて、直流電力を発電する。各太陽電池アレイ１０Ａ〜１０Ｃでは、複数の太陽電池セルが１次元的又は２次元的に配列されている。例えば、太陽電池アレイ１０Ａでは、複数の太陽電池セルＳＰ−１〜ＳＰ−４が直列に接続されている。例えば、太陽電池アレイ１０Ｂでは、複数の太陽電池セルＳＰ−５〜ＳＰ−８が直列に接続されている。例えば、太陽電池アレイ１０Ｃでは、複数の太陽電池セルＳＰ−９〜ＳＰ−１２が直列に接続されている。
【００１５】
接続箱７０は、複数の太陽電池アレイ１０Ａ〜１０Ｃをパワーコンディショナ８０に並列接続する。これにより、各太陽電池アレイ１０Ａ〜１０Ｃで発電された直流電力が接続箱７０経由でパワーコンディショナ８０に供給される。パワーコンディショナ８０は、直流電力に対して所定の動作を施して交流電力に変換し、変換された交流電力を例えば商用系統電源（図示せず）に出力する。
【００１６】
接続箱７０には、複数の太陽電池アレイ１０Ａ〜１０Ｃが並列接続されるための複数対の入力端子５０Ｐ−１〜５０Ｎ−３が設けられている。また、接続箱７０には、パワーコンディショナ８０が接続されるための一対の出力端子６０Ｐ、６０Ｎが設けられている。出力端子６０Ｐ及び出力端子６０Ｎは、対になっており、それぞれ、パワーコンディショナ８０のＰ側端子８１Ｐ及びＮ側端子８１Ｎが接続されるべき端子となっている。
【００１７】
このような太陽光発電用の接続箱７０では、図１３に示すように、等価的に直流電圧源としてそれぞれ機能する複数の太陽電池アレイ１０Ａ〜１０Ｃに接続された複数対の入力端子５０Ｐ−１〜５０Ｎ−３が、複数の入力回路４Ａ〜４Ｃ及びハーネス４により、一対の出力端子６０Ｐ、６０Ｎに対して並列接続されている。また、各入力回路４Ａ〜４Ｃ間の逆流を防止するために、逆流防止ダイオード３Ａ〜３Ｃが各入力回路４Ａ〜４Ｃ内の入出力端子間に直列に接続されている。
【００１８】
このとき、複数の太陽電池アレイ１０Ａ〜１０Ｃにおける一部の太陽電池セルに不具合が生じたときなどにも安定して発電して直流電力をパワーコンディショナ８０へ供給するためには、複数の太陽電池アレイ１０Ａ〜１０Ｃと一対の出力端子６０Ｐ、６０Ｎとの電気的接続をアレイ単位でそれぞれ切れるようにすることが好ましい。
【００１９】
そのため、接続箱７０は、複数対の入力端子５０Ｐ−１〜５０Ｎ−３と一対の出力端子６０Ｐ、６０Ｎとの電気的接続をアレイ単位でそれぞれ切る複数のＤＣ遮断器２Ａ〜２Ｃを備える。
【００２０】
図１３に示す構成では、接続箱７０において、高価なＤＣ遮断器を太陽電池アレイの個数分用意しなければならないため、接続箱７０の製造コストが増大する傾向にある。
【００２１】
そこで、本発明者は、接続箱７０の製造コストを低減できないか検討を行った。本発明者は、接続箱７０の中で使用されている部品の中で一番コストを占めているのは各アレイ用に複数個使用しているＤＣ遮断器２Ａ〜２Ｃであると考えた。そして、本発明者は、接続箱の製造コストを低減するために、複数のＤＣ遮断器を複数のＤＣ断路器及び１つのＤＣ遮断器で置き換えることを考えた。
【００２２】
すなわち、実施の形態１にかかる太陽光発電システムＳ１００では、図１に示すように、接続箱１７０が、複数のＤＣ遮断器２Ａ〜２Ｃ（図１３参照）に代えて、１つのＤＣ遮断器１０５及び複数のＤＣ断路器１０２Ａ〜１０２Ｃを備える。
【００２３】
ＤＣ遮断器１０５は、複数のＤＣ断路器１０２Ａ〜１０２Ｃと一対の出力端子６０Ｐ、６０Ｎとの間に電気的に接続されている。ＤＣ遮断器１０５は、複数の太陽電池アレイ１０Ａ〜１０Ｃからパワーコンディショナへの電流の開閉を一括して行う。例えば、ＤＣ遮断器１０５は、レバー１０５１（図２参照）がＯＦＦ操作（開操作）されることにより、複数の太陽電池アレイ１０Ａ〜１０Ｃからパワーコンディショナ８０への電流の遮断を一括で行い、レバー１０５１（図２参照）がＯＮ操作（閉操作）されることにより、その遮断を一括で解除する。
【００２４】
複数のＤＣ断路器１０２Ａ〜１０２Ｃは、複数の太陽電池アレイ１０Ａ〜１０Ｃに対応しており、複数の太陽電池アレイ１０Ａ〜１０ＣとＤＣ遮断器１０５との間に電気的に接続されている。複数のＤＣ断路器１０２Ａ〜１０２Ｃは、複数の太陽電池アレイ１０Ａ〜１０ＣとＤＣ遮断器１０５との間の電路をアレイ単位で開閉する。例えば、複数のＤＣ断路器１０２Ａ〜１０２Ｃは、操作部１０２Ａ１〜１０２Ｃ１（図３参照）がＯＦＦ操作（開操作）されることにより、複数の太陽電池アレイ１０Ａ〜１０ＣとＤＣ遮断器１０５との電気的接続をアレイ単位でそれぞれ切り、操作部１０２Ａ１〜１０２Ｃ１（図３参照）がＯＮ操作（閉操作）されることにより、複数の太陽電池アレイ１０Ａ〜１０ＣとＤＣ遮断器１０５との電気的接続をアレイ単位でそれぞれ導通させる。
【００２５】
図１に示す構成によれば、高価なＤＣ遮断器の個数を１個に抑制できるので、図１３に示す構成に比べて、接続箱１７０の製造コストを低減できる。
【００２６】
しかし、図１に示す構成の場合、ＤＣ遮断器１０５が電流を開閉できるのに対して各ＤＣ断路器１０２Ａ〜１０２Ｃが電流を開閉できないので、操作に適正な順番が発生し、ＤＣ遮断器１０５で電流を遮断（開操作）して無負荷状態にした後に各ＤＣ断路器１０２Ａ〜１０２Ｃで電路を開閉操作する必要がある。仮に、人為的な誤操作により、ＤＣ遮断器１０５が閉操作されている通電中（すなわち、負荷電流が流れているとき）にＤＣ断路器１０２Ａ〜１０２Ｃで電路を切った場合、ＤＣ断路器１０２Ａ〜１０２Ｃ内でアーク放電が発生しやすく、切断されない場合があり、発熱等が起こる場合もあり、ＤＣ断路器１０２Ａ〜１０２Ｃを破損する可能性がある。
【００２７】
そこで、実施の形態１にかかる太陽光発電システムＳ１００では、ＤＣ遮断器１０５を通電状態（ＯＮ状態）のままＤＣ断路器１０２Ａ〜１０２Ｃを切る誤操作を防止するために、ＤＣ遮断器１０５のＯＮ−ＯＦＦレバーがＯＮ側に倒れている状態のときに、ＤＣ断路器１０５をＯＦＦ操作できないような構造を提案する。
【００２８】
具体的には、接続箱１７０は、図２及び図３に示すように、１つのＤＣ遮断器１０５及び複数のＤＣ断路器１０２Ａ〜１０２Ｃに加えて、接続箱本体１２０、蓋体１３０、基板１０８、立ち上がり部材１０７、回動構造１０９、及びカバー１０６を備える。
【００２９】
ＤＣ遮断器１０５は、例えば接続箱本体１２０の底面１２０ａと反対側の位置に、レバー１０５１を有する。レバー１０５１がＯＦＦ側（図２における右側）に倒れた状態で、ＤＣ遮断器１０５は、複数の太陽電池アレイ１０Ａ〜１０Ｃからパワーコンディショナ８０への電流の遮断を一括で行う。レバー１０５１がＯＮ側（図２における左側）に倒れた状態で、ＤＣ遮断器１０５は、その遮断を一括で解除する。
【００３０】
各ＤＣ断路器１０２Ａ〜１０２Ｃは、例えば接続箱本体１２０の底面１２０ａと反対側の位置に、操作部１０２Ａ１〜１０２Ｃ１（図３参照）を有する。
【００３１】
接続箱本体１２０は、１つのＤＣ遮断器１０５及び複数のＤＣ断路器１０２Ａ〜１０２Ｃを収容する。接続箱本体１２０は、例えば、１つのＤＣ遮断器１０５及び複数のＤＣ断路器１０２Ａ〜１０２Ｃを図中における側方及び下方から囲む。接続箱本体１２０は、蓋体１３０が嵌合されるための被嵌合構造を有していてもよい。接続箱本体１２０は、例えば、樹脂等で形成されている。
【００３２】
蓋体１３０は、接続箱本体１２０に対する蓋として機能し、接続箱本体１２０とともに１つのＤＣ遮断器１０５及び複数のＤＣ断路器１０２Ａ〜１０２Ｃを収容する。蓋体１３０は、例えば、１つのＤＣ遮断器１０５及び複数のＤＣ断路器１０２Ａ〜１０２Ｃを図中における上方から囲む。蓋体１３０は、接続箱本体１２０に嵌合するための嵌合構造を有していてもよい。蓋体１３０は、例えば、樹脂等で形成されている。
【００３３】
基板１０８は、１つのＤＣ遮断器１０５及び複数のＤＣ断路器１０２Ａ〜１０２Ｃを接続箱本体１２０の例えば底面１２０ａへの固定を媒介する。すなわち、基板１０８は、主面１０８ａ上に１つのＤＣ遮断器１０５及び複数のＤＣ断路器１０２Ａ〜１０２Ｃが搭載されているとともに、反対側の主面１０８ｂが接続箱本体１２０の例えば底面１２０ａに固定されている。基板１０８は、例えば、樹脂等で形成されている。
【００３４】
立ち上がり部材１０７は、接続箱本体１２０の例えば底面１２０ａから蓋体１３０側へ立ち上がるように、接続箱本体１２０の例えば底面１２０ａに固定されている。立ち上がり部材１０７の立ち上がりの高さは、例えば、基板１０８を介して１つのＤＣ遮断器１０５及び複数のＤＣ断路器１０２Ａ〜１０２Ｃが接続箱本体１２０に固定された際における１つのＤＣ遮断器１０５及び複数のＤＣ断路器１０２Ａ〜１０２Ｃの高さに対応している。また、立ち上がり部材１０７の立ち上がりの底面１２０ａに沿った方向の幅は、例えば、カバー１０６の底面１２０ａに沿った方向の幅に対応している。立ち上がり部材１０７は、例えば、樹脂等で形成されている。
【００３５】
回動構造１０９は、カバー１０６を接続箱本体１２０に固定させるように、カバー１０６の一端１０６２を立ち上がり部材１０７に軸着させる。回動構造１０９は、図２の紙面に垂直な回転軸を有し、その回転軸を中心にカバー１０６を回動させる（図４（ａ）〜（ｃ）参照）。回動構造１０９は、例えば、蝶番等のヒンジ構造である。回動構造１０９は、例えば、金属等で形成されている。
【００３６】
カバー１０６は、接続箱本体１２０に固定されるように一端１０６２が回動構造１０９を介して立ち上がり部材１０７に軸着されている。カバー１０６は、第１の姿勢（図２、図３、図４（ａ）参照）において、１つのＤＣ遮断器１０５及び複数のＤＣ断路器１０２Ａ〜１０２Ｃを覆い、各ＤＣ断路器１０２Ａ〜１０２Ｃの操作部１０２Ａ１〜１０２Ｃ１を覆う。カバー１０６は、第２の姿勢（図４（ｃ）参照）において、１つのＤＣ遮断器１０５及び複数のＤＣ断路器１０２Ａ〜１０２Ｃを開放し、各ＤＣ断路器１０２Ａ〜１０２Ｃの操作部１０２Ａ１〜１０２Ｃ１を開放する。
【００３７】
カバー１０６は、例えば、一端１０６２と反対側が接続箱本体１２０の底面１２０ａ側へ折れ曲がっている折り曲げ部１０６３を有する。折り曲げ部１０６３は、カバー１０６の姿勢が第１の姿勢及び第２の姿勢の間で変更される際に把持されるための被把持部として機能する。
【００３８】
また、カバー１０６は、例えば、ＤＣ遮断器１０５のレバー１０５１に対応した位置に、穴１０６１を有する。穴１０６１は、カバー１０６が第１の姿勢（図２、図３、図４（ａ）参照）にあるときに、レバー１０５１により貫通される。すなわち、カバー１０６には穴１０６１が開いており、そこからＤＣ遮断器１０５のレバー１０５１が操作できるように、ＤＣ遮断器１０５においてレバー１０５１だけがカバー１０６より出ている構造になっている。
【００３９】
カバー１０６の穴１０６１は、カバー１０６がＤＣ遮断器１０５及び複数のＤＣ断路器１０２Ａ〜１０２Ｃを覆った状態（第１の姿勢）でレバー１０５１がＯＮ側に倒れている場合にレバー１０５１に干渉し（図２、図３、図４（ａ）参照）、カバー１０６がＤＣ遮断器１０５及び複数のＤＣ断路器１０２Ａ〜１０２Ｃを覆った状態（第１の姿勢）でレバー１０５１がＯＦＦ側に倒れている場合にレバー１０５１に干渉しない（図４（ｂ）参照）ように構成されている。すなわち、ＤＣ遮断器１０５のレバー１０５１がＯＦＦ側に倒れている時（図４（ｂ）参照）だけ、レバー１０５１がカバー１０６を回動させた時の穴１０６１の軌跡（すなわち、図４（ｃ）に破線で示す軌跡）内にあり、よって、干渉しないで、回動構造１０９の回転軸を中心にカバー１０６を回動することができる（図４（ｃ）参照）。
【００４０】
このように、ＤＣ遮断器１０５が非通電状態（ＯＦＦ状態）の時は、カバー１０６を回動させることにより、カバー１０６に覆われていた複数個のＤＣ断路器１０２Ａ〜１０２Ｃの操作部１０２Ａ１〜１０２Ｃ１が開放され、操作部１０２Ａ１〜１０２Ｃ１を確認でき操作できる状態となる（図４（ｂ）、（ｃ）参照）。
【００４１】
一方、ＤＣ遮断器１０５が通電状態（ＯＮ状態）の時は、レバー１０５１がカバー１０６の穴１０６１の外周に干渉し、カバー１０６を動かすことができない状態となる。よって、カバー１０６に覆われている複数個のＤＣ断路器１０２Ａ〜１０２Ｃの操作部１０２Ａ１〜１０２Ｃ１を確認できず操作できない状態になっている（図２、図３、図４（ａ）参照）。これにより、誤操作を防止することができる。
【００４２】
以上のように、実施の形態１では、ＤＣ遮断器１０５が、複数の太陽電池アレイ１０Ａ〜１０Ｃからパワーコンディショナ８０への電流の遮断を一括で行い、複数のＤＣ断路器１０２Ａ〜１０２Ｃが、複数の太陽電池アレイ１０Ａ〜１０ＣとＤＣ遮断器１０５との電気的接続をアレイ単位でそれぞれ切る。これにより、ＤＣ遮断器１０５の個数を太陽電池アレイ１０Ａ〜１０Ｃの個数分設ける必要がなく１個に抑制できるので、接続箱１７０の製造コストを低減できる。
【００４３】
また、実施の形態１では、ＤＣ遮断器１０５は、レバー１０５１がＯＦＦ側に倒れた状態で電流の遮断を一括で行い、レバー１０５１がＯＮ側に倒れた状態でその遮断を一括で解除する。カバー１０６は、ＤＣ遮断器１０５及び複数のＤＣ断路器１０２Ａ〜１０２Ｃを覆った状態でレバー１０５１がＯＮ側に倒れている場合にレバー１０５１に干渉し、ＤＣ遮断器１０５及び複数のＤＣ断路器１０２Ａ〜１０２Ｃを覆った状態でレバー１０５１がＯＦＦ側に倒れている場合にレバー１０５１に干渉しないように構成された穴１０６１を有する。これにより、ＤＣ遮断器１０５が通電状態（ＯＮ状態）の時にカバー１０６を動かすことができない状態となるので、各ＤＣ断路器１０２Ａ〜１０２Ｃの操作部１０２Ａ１〜１０２Ｃ１を操作不可能な状態にすることができ、誤操作を防止できる。また、ＤＣ遮断器１０５が非通電状態（ＯＦＦ状態）になったことに連動してカバー１０６を動かすことができる状態となるので、各ＤＣ断路器１０２Ａ〜１０２Ｃの操作部１０２Ａ１〜１０２Ｃ１を操作可能な状態にすることができ、適正な順番で操作されるように誘導できる。
【００４４】
したがって、実施の形態１によれば、接続箱１７０の製造コストを低減でき、接続箱１７０の誤操作を防止できる。
【００４５】
また、実施の形態１では、カバー１０６が、ＤＣ遮断器１０５及び複数のＤＣ断路器１０２Ａ〜１０２Ｃを覆った状態で、複数のＤＣ断路器１０２Ａ〜１０２Ｃのそれぞれの操作部１０２Ａ１〜１０２Ｃ１を覆っている。これにより、ＤＣ遮断器１０５が通電状態（ＯＮ状態）の時に、カバー１０６を動かすことができない状態となることに応じて、各ＤＣ断路器１０２Ａ〜１０２Ｃの操作部１０２Ａ１〜１０２Ｃ１を操作不可能な状態にすることができる。
【００４６】
実施の形態２．
次に、実施の形態２にかかる太陽光発電システムＳ２００について説明する。以下では、実施の形態１と異なる部分を中心に説明する。
【００４７】
実施の形態１では、カバー１０６が第２の姿勢（図４（ｃ）参照）にあるときの誤操作を特に考慮していないが、実施の形態２では、カバー１０６が第２の姿勢にあるときの誤操作も防止できる構造を提案する。
【００４８】
具体的には、太陽光発電システムＳ２００における接続箱２７０は、図５（ａ）に示すように、ジャバラ構造２４０をさらに備える。ジャバラ構造２４０は、カバー１０６の裏面１０６ａにおける穴１０６１の周辺部とＤＣ遮断器１０５の本体とを接続する。ジャバラ構造２４０は、カバー１０６が第１の姿勢にあるとき、すなわちカバー１０６がＤＣ遮断器１０５及び複数のＤＣ断路器１０２Ａ〜１０２Ｃを覆っているとき（図５（ａ）、（ｂ）参照）、縮んだ状態であり、ＤＣ遮断器１０５のレバー１０５１を露出させている。また、ジャバラ構造２４０は、カバー１０６が第２の姿勢にあるとき、すなわちカバー１０６がＤＣ遮断器１０５及び複数のＤＣ断路器１０２Ａ〜１０２Ｃを開放しているとき（図５（ｃ）、図６参照）、伸びた状態であり、ＤＣ遮断器１０５のレバー１０５１を覆っている。
【００４９】
このように、実施の形態２では、ジャバラ構造２４０は、カバー１０６が第２の姿勢にあるときにＤＣ遮断器１０５のレバー１０５１を覆う。これにより、カバー１０６が第２の姿勢にあるときに、ＤＣ遮断器１０５のレバー１０５１を確認できない状態にすることができるので、ＤＣ遮断器１０５のレバー１０５１がＯＮ側へ誤操作されることを防止できる。
【００５０】
実施の形態３．
次に、実施の形態３にかかる太陽光発電システムＳ３００について説明する。以下では、実施の形態１と異なる部分を中心に説明する。
【００５１】
実施の形態１では、カバー１０６が立ち上がり部材１０７を介して接続箱本体１２０に固定されているが、実施の形態３では、カバー１０６が直接的に接続箱本体３２０に固定される。
【００５２】
具体的には、太陽光発電システムＳ３００における接続箱３７０は、図７（ａ）に示すように、蓋体１３０及び立ち上がり部材１０７（図２参照）を備えず、接続箱本体１２０、回動構造１０９、及びカバー１０６に代えて、接続箱本体３２０、回動構造３０９、及びカバー３０６を備える。
【００５３】
接続箱３７０において、カバー３０６は、一端３０６２が回動構造３０９を介して接続箱本体３２０の開放端３２０１に軸着され、接続箱本体３２０の蓋としても機能する。すなわち、カバー３０６は、ＤＣ遮断器１０５及び複数のＤＣ断路器１０２Ａ〜１０２Ｃを覆うカバーとしての機能と、蓋体１３０（図２参照）の代替としての機能とを兼ね備えている。これに応じて、接続箱本体３２０は、カバー３０６の折り曲げ部３０６３が嵌合されるための被嵌合構造を有していてもよく、カバー３０６の折り曲げ部３０６３は、接続箱本体３２０に嵌合するための嵌合構造を有していてもよい。
【００５４】
なお、カバー３０６の穴３０６１が、カバー３０６がＤＣ遮断器１０５及び複数のＤＣ断路器１０２Ａ〜１０２Ｃを覆った状態（第１の姿勢）でレバー１０５１がＯＮ側に倒れている場合にレバー１０５１に干渉し（図７（ａ）参照）、カバー３０６がＤＣ遮断器１０５及び複数のＤＣ断路器１０２Ａ〜１０２Ｃを覆った状態（第１の姿勢）でレバー１０５１がＯＦＦ側に倒れている場合にレバー１０５１に干渉しない（図７（ｂ）、（ｃ）参照）ように構成されている点は、実施の形態１と同様である。
【００５５】
このように、実施の形態３では、接続箱３７０において、カバー３０６は、一端３０６２が接続箱本体３２０の開放端３２０１に軸着され、接続箱本体３２０の蓋としても機能する。これにより、接続箱本体３２０の外形寸法を実施の形態１（図２参照）に比べて低減でき、接続箱３７０を全体として小型化できる。
【００５６】
実施の形態４．
次に、実施の形態４にかかる太陽光発電システムＳ４００について説明する。以下では、実施の形態３と異なる部分を中心に説明する。
【００５７】
実施の形態３では、ＤＣ遮断器１０５及び複数のＤＣ断路器１０２Ａ〜１０２Ｃが２列で配置されているが、実施の形態４では、ＤＣ遮断器１０５及び複数のＤＣ断路器１０２Ａ〜１０２Ｃを１列で配置する。
【００５８】
具体的には、太陽光発電システムＳ４００における接続箱４７０は、図９（ａ）に示すように、接続箱本体３２０、回動構造３０９、及びカバー３０６（図７（ａ）参照）に代えて、接続箱本体４２０、回動構造４０９、及びカバー４０６を備える。
【００５９】
接続箱４７０において、カバー４０６は、ＤＣ遮断器１０５及び複数のＤＣ断路器１０２Ａ〜１０２Ｃが１列で配置されていることに対応して、その配列方向に長い形状を有している。
【００６０】
また、ＤＣ遮断器１０５及び複数のＤＣ断路器１０２Ａ〜１０２Ｃが１列で配置されている（図８参照）ので、ＤＣ遮断器１０５及び複数のＤＣ断路器１０２Ａ〜１０２Ｃが２列で配置されていた場合（図３参照）に比べて、ＤＣ遮断器１０５及び複数のＤＣ断路器１０２Ａ〜１０２Ｃの配置密度を容易に向上できる。これにより、カバー４０６は、ＤＣ遮断器１０５及び複数のＤＣ断路器１０２Ａ〜１０２Ｃが２列で配置されていた場合（図３参照）に比べて、その面積を容易に低減できる。
【００６１】
なお、カバー４０６の穴４０６１が、カバー４０６がＤＣ遮断器１０５及び複数のＤＣ断路器１０２Ａ〜１０２Ｃを覆った状態（第１の姿勢）でレバー１０５１がＯＮ側に倒れている場合にレバー１０５１に干渉し（図９（ａ）参照）、カバー４０６がＤＣ遮断器１０５及び複数のＤＣ断路器１０２Ａ〜１０２Ｃを覆った状態（第１の姿勢）でレバー１０５１がＯＦＦ側に倒れている場合にレバー１０５１に干渉しない（図９（ｂ）、（ｃ）参照）ように構成されている点は、実施の形態３と同様である。
【００６２】
このように、実施の形態４では、接続箱４７０において、カバー４０６の面積を容易に低減できるので、接続箱本体４２０の外形寸法を実施の形態３（図７（ａ）参照）に比べて低減でき、接続箱４７０を全体としてさらに小型化できる。
【００６３】
実施の形態５．
次に、実施の形態５にかかる太陽光発電システムＳ５００について説明する。以下では、実施の形態４と異なる部分を中心に説明する。
【００６４】
実施の形態４では、カバー４０６が第２の姿勢（図９（ｃ）参照）にあるときの誤操作を特に考慮していないが、実施の形態５では、カバー４０６が第２の姿勢にあるときの誤操作も防止できる構造を提案する。
【００６５】
具体的には、太陽光発電システムＳ５００における接続箱５７０は、図１０（ａ）に示すように、ジャバラ構造５４０をさらに備える。ジャバラ構造５４０は、カバー４０６の裏面４０６ａにおける穴４０６１の周辺部とＤＣ遮断器１０５の本体とを接続する。ジャバラ構造５４０は、カバー４０６が第１の姿勢にあるとき、すなわちカバー４０６がＤＣ遮断器１０５及び複数のＤＣ断路器１０２Ａ〜１０２Ｃを覆っているとき（図１０（ａ）、（ｂ）参照）、縮んだ状態であり、ＤＣ遮断器１０５のレバー１０５１を露出させている。また、ジャバラ構造５４０は、カバー４０６が第２の姿勢にあるとき、すなわちカバー４０６がＤＣ遮断器１０５及び複数のＤＣ断路器１０２Ａ〜１０２Ｃを開放しているとき（図１０（ｃ）、図１１参照）、伸びた状態であり、ＤＣ遮断器１０５のレバー１０５１を覆っている。
【００６６】
このように、実施の形態５では、ジャバラ構造５４０は、カバー４０６が第２の姿勢にあるときにＤＣ遮断器１０５のレバー１０５１を覆う。これにより、カバー４０６が第２の姿勢にあるときに、ＤＣ遮断器１０５のレバー１０５１を確認できない状態にすることができるので、ＤＣ遮断器１０５のレバー１０５１がＯＮ側へ誤操作されることを防止できる。
【産業上の利用可能性】
【００６７】
以上のように、本発明にかかる接続箱及び太陽光発電システムは、複数の太陽電池アレイをパワーコンディショナへ接続することに適している。
【符号の説明】
【００６８】
２Ａ〜２Ｃ  ＤＣ遮断器
３Ａ〜３Ｃ  逆流防止ダイオード
４  ハーネス
４Ａ〜４Ｃ  入力回路
１０Ａ〜１０Ｃ  太陽電池アレイ
７０  接続箱
８０  パワーコンディショナ
１０２Ａ〜１０２Ｃ  ＤＣ断路器
１０２Ａ１〜１０２Ｃ１  操作部
１０５  ＤＣ遮断器
１０６  カバー
１０７  立ち上がり部材
１０８  基板
１０９  回動構造
１２０  接続箱本体
１３０  蓋体
１７０  接続箱
２４０  ジャバラ構造
２７０  接続箱
３０６  カバー
３０９  回動構造
３２０  接続箱本体
３７０  接続箱
４０６  カバー
４０９  回動構造
４２０  接続箱本体
４７０  接続箱
５４０  ジャバラ構造
５７０  接続箱
１０５１  レバー
１０６１  穴
Ｓ  太陽光発電システム
Ｓ１００  太陽光発電システム
Ｓ２００  太陽光発電システム
Ｓ３００  太陽光発電システム
Ｓ４００  太陽光発電システム
Ｓ５００  太陽光発電システム
【図１】
2014011821.tif 000003
【図２】
2014011821.tif 000004
【図３】
2014011821.tif 000005
【図４】
2014011821.tif 000006
【図５】
2014011821.tif 000007
【図６】
2014011821.tif 000008
【図７】
2014011821.tif 000009
【図８】
2014011821.tif 000010
【図９】
2014011821.tif 000011
【図１０】
2014011821.tif 000012
【図１１】
2014011821.tif 000013
【図１２】
2014011821.tif 000014
【図１３】
2014011821.tif 000015